(57)【要約】【課題】容器の変形や異音の発生を防止することができる容器に封入された飲料用のストローを提供する。【解決手段】径の大きさが異なる外管１０と内管２０が伸縮自在に組み合わされる二段式の飲料用ストロー１であり、縮小時に最も内側に位置する内管２０の一端には、先端部に向かって径が徐々に拡大する拡径部２２が設けられている。また、拡径部２２は先端から斜めにカットされている。ストロー１を飲料容器の挿込口に挿入する際、拡径部２２により、容器の挿込口に軸部１１より大きい穴があき、軸部と容器のストロー挿込口の間に隙間ができる。これにより、飲料容器のフィルムシートの材質に関係なく容器内部への空気流入経路を確保でき、容器の変形や異音の発生を防止できる。【選択図】図１
2011078554.tif 000002
【特許請求の範囲】
【請求項１】
所定の長さのストレート軸を有し、径の大きさが異なる２本以上の管が伸縮自在に組み合わされる多段式の飲料用ストローにおいて、
縮小時に最も内側に位置する内管の一端には、前記ストレート軸から先端部に向かって径が徐々に拡大する拡径部が設けられ、前記拡径部は先端部から斜めにカットされていることを特徴とする多段式の飲料用ストロー。
【請求項２】
前記拡径部の表面の前記ストレート軸から前記先端部の長さが異なるように形成され、前記長さが大きい方から徐々に小さくなるように形成されていることを特徴とする請求項１記載の多段式の飲料用ストロー。
【請求項３】
前記拡径部は前記ストレート軸から先端部に向かって径が徐々に拡大する拡大部と、前記拡大部から前記先端部まで径の大きさが拡大しないように形成される非拡大部とを備え、前記非拡大部は先端部から斜めにカットされていることを特徴とする請求項１記載の多段式の飲料用ストロー。
【請求項４】
前記拡径部の最大の径は伸長時に最も外側に位置する外管の軸の径より大きいことを特徴とする請求項１乃至請求項３記載の多段式の飲料用ストロー。  
【発明の詳細な説明】
【技術分野】
【０００１】
本発明は、容器に封入された飲料用の多段式ストローに関し、特に飲用中に予期せぬ音の発生を防止することができる多段式ストローに関する。
【背景技術】
【０００２】
小型の紙製やプラスチック製の容器等に封入される飲料には、容器にストローが添付されているものがあり、容器に設けられた挿込口にストローを挿して飲用する。ここで挿込口は、例えば、紙製やポリプロピレン製等のフィルムシートで覆われている。飲料の吸引時に容器内の減圧により容器が変形し、吸引をやめると空気が容器内に流れて予期しない音が発せられることがある。
【０００３】
ストローの外周壁に溝を設けて、容器の変形や異音の発生を防止する二段式ストローが特許文献１及び特許文献２に開示されている。特許文献１には内管が外管に挿入される二段式ストローにおいて、管の外周に一端から他端にかけて縦に凹状溝部を設けて、挿込口にストローを挿したときに、挿込口とストローの外管との間に隙間ができるようにしている。この隙間により吸引時に空気が容器内部に入り容器の変形や異音の発生を抑止している。また、特許文献２は管の外周に一端から他端にかけて縦に凸状溝部を設けて、容器内への空気流入経路を確保している。
【先行技術文献】
【特許文献】
【０００４】
【特許文献１】特開平１０−２９５５１９
【特許文献２】特開２００３−１３５２４２
【発明の概要】
【発明が解決しようとする課題】
【０００５】
しかしながら、近年飲料容器の挿込口を覆うフィルムシートの材質が多種多様化しており、その材質によっては、多段式のストローを容器内に挿入する際、ストローにフィルムシート材が貼りついてしまい、空気流入用の溝も塞がり、空気流入経路が確保できなくなる場合があった。そこで、容器の挿込口のフィルムシート材の材質に関係なく、容器内への空気流入経路を確保でき、飲料の吸引時における容器の変形や異音の発生を抑えることができる多段式のストローを提供する。
【課題を解決するための手段】
【０００６】
本発明のストローは、所定の長さのストレート軸を有し、径の大きさが異なる２本以上の管が伸縮自在に組み合わされる多段式の飲料用ストローにおいて、縮小時に最も内側に位置する内管の一端には、ストレート軸から先端部に向かって径が徐々に拡大する拡径部が設けられ、拡径部は先端部から斜めにカットされている。
【０００７】
ここで、拡径部は拡径部の表面のストレート軸から先端部の長さが異なるように形成され、長さが大きい方から徐々に小さくなるように形成することができる。
【０００８】
また、拡径部はストレート軸から先端部に向かって径が徐々に拡大する拡大部と、拡大部から先端部まで径の大きさが拡大しない非拡大部とを備え、非拡大部を先端部から斜めにカットして形成することができる。
【０００９】
拡径部の最大の径は伸長時に最も外側に位置する外管の軸の径より大きくすることが好ましい。
【発明の効果】
【００１０】
本発明の多段式の飲料用ストローは、飲料に浸す側のストローの先が先端に向かって徐々に拡大する拡径部を備えているので、飲料容器のストロー挿込口にストローを挿す際にストローの軸部より大きい穴があき、軸部と容器のストロー挿込口の間に隙間が形成される。これにより、容器内部への空気流入経路を確保でき、容器の変形や異音の発生を防止できるという利点がある。
【図面の簡単な説明】
【００１１】
【図１】本発明の第1実施例に係る二段式ストローを縮めた状態を示す側面図である。
【図２】本発明の第1実施例に係る図１の二段式ストローを引き伸ばした状態を示す断面図である。
【図３】本発明の第１実施例に係る二段式ストローを示し、（ａ）はストローを縮めた状態を示し（ｂ）はストローを引き伸ばした状態を示す斜視図である。
【図４】本発明の第２実施例に係る二段式ストローを縮めた状態を示す側面図である。
【発明を実施するための形態】
【００１２】
本発明の多段式ストローは、最も内側に位置する内管の端部に軸部から先端部に向かって径が徐々に拡大する拡径部を備える。
【実施例１】
【００１３】
本発明の実施例１の二段式ストローを図１、図２及び図３に示す。図１はストローの内管を外管に挿入して縮めた状態を示し、図２は内管を外管から引き伸ばした状態を示す側断面図であり、図３（ａ）は二段式ストローの縮小時、（ｂ）は伸長時の斜視図である。
【００１４】
図１乃至図３に示すように、二段式ストロー１（以下ストローと称する）は、所定の長さのストレート軸部１１を有する外管１０に、外管１０のストレート軸部１１の内径より小さい外径のストレート軸部２３を有する内管２０がスライド自在に組み入れられる。外管１０の両端部からの内管２０の抜け落ちを防止するために、外管１０の一端にはストレート軸部１１の径より小さくなるように絞り形成されたストッパ部１２が設けられ、外管１０の他端には先端部にかけて径が徐々に小さくなるストッパ部１３が設けられている。
【００１５】
また、図２に示すように、外管１０と当接してストロー軸を形成する側の内管２０の端部には、径が徐々に大きくなる係止部２１が設けられている。ストローが引き伸ばされたとき、内管２０の係止部２１が外管１０のストッパ部１３に収まることにより、外管１０から内管２０が抜け落ちるのを防止することができ、ストローが縮められたとき、外管２０のストッパ部１２により内管２０の抜け落ちを防止することができる。
【００１６】
また、ストローが引き伸ばされたとき、抵抗を加えられても引き伸ばし状態が保持できるように、図２に示すように、外管１０の端部の外周に凹状の溝が設けられストッパ１４が形成されている。ストッパ１４はストッパ部１３の径が小さくなる手前のストレート軸部１１の端部に設けられている。これにより、例えば飲料の吸引時に内管２０に外管１０方向へ押す力がかかっても、内管２０の端部がストッパ１４に係止され、内管２０が外管１０内に押し戻されることを防止する。
【００１７】
更に、内管２０の他端には、先端に向かって径が徐々に拡大する拡径部２２が設けられ、この拡径部２２は先端から斜めにカットされ、先端が鋭角に形成されている。拡径部２２の最大の径は、ストレート軸部１１の径よりも大きい。ここで、先端をカットする角度は特に限定されず、飲料の容器の種類や使用者の要望に応じて様々な角度とすることができる。
【００１８】
上記の構造を有するストロー１を飲料容器の挿込口に挿入する際、飲料に浸す側のストローの先が先端に向かって徐々に拡大する拡径部２２を挿入するので、容器の挿込口に軸部より大きい穴があき、軸部と容器の挿込口の間に隙間が形成される。これにより、挿込口のフィルムシートの材質に関係なく容器内部への空気流入経路を確保でき、容器の変形や予期しない異音の発生を防止することができる。
【実施例２】
【００１９】
次に、本発明の実施例２の二段式ストローを図４を参照しながら説明する。図４において、実施例１のストローと同一の部材には同一の符号を付し、重複する説明は省略する。
【００２０】
図４に示すように、二段式ストロー２（以下ストローと称する）は、所定の長さのストレート軸部１１を有する外管１０に、外管１０の軸部１１の内径より小さい外径のストレート軸部を有する内管３０がスライド自在に組み入れられる。そして、ストロー２の内管３０の端部には、拡径部３３が設けられている。拡径部３３は先端部に向かって径が徐々に拡大する拡大部３３aと、拡大部３３ａから先端まで径が拡大せず、先端部まで同一の径を有する非拡径部３３ｂとを有し、非拡大部３３ｂの先端から拡大部３３ａの周縁まで斜めにカットされている。ここで、拡径部３３の拡大部３３ａの最大の径は、ストレート軸部１１の径よりも大きい。
【００２１】
上記の構造を有するストロー２も実施例１のストロー１と同様に、ストロー２を飲料容器の挿込口に挿入する際、飲料に浸す側のストローの先が先端に向かって徐々に拡大する拡径部３３により、容器の挿込口に軸部より大きい穴があき、軸部と容器のストロー挿込口の間に隙間が形成される。これにより、飲料容器のフィルムシートの材質に関係なく、容器内部への空気流入経路を確保でき、容器の変形や予期せぬ異音の発生を防止できる。
【００２２】
以上本発明の実施例を説明したが、上記実施例に限定されることはなく、様々に変形可能である。
本発明はストローの内管の先端部の形状に特徴があるので、ストローの管同士が接して係止する機構は上述の形状に限らず様々な種類の機構を適用することができる。また、上述の実施例では本発明を二段式ストローに適用する例を示したが、二段式に限らず三段式等の多段式ストローや曲がるストロー等にも適用することができる。多段式ストローの場合、最も内側に位置する内管に拡径部を設ければよい。
【符号の説明】
【００２３】
１、２  二段式ストロー
１０  外管
１１、２３  ストレート軸部
１２、１３  ストッパ部
１４  ストッパ
２０、３０  内管
２１  係止部
２２、３３  拡径部
【図１】
2011078554.tif 000003
【図２】
2011078554.tif 000004
【図３】
2011078554.tif 000005
【図４】
2011078554.tif 000006